(57)【要約】【課題】いわゆるＬ字状ライン取手を備える収納扉に簡便な作業で着脱可能に装着できるとともに、強固に固定可能な収納扉用タオルハンガーを提供することを課題とする。【解決手段】ライン取手に固定される固定部と、固定部の前方側に延出されてタオルを掛止する掛止部と、を有し、固定部は、持ち手部の上方に位置するベース部の下面側から、持ち手部の後面側に延びる第１延出部と、持ち手の前面側に延びる第２延出部と、ベース部又は第１延出部から後面壁側に延びる第１支持部と、を備え、第１延出部が持ち手部の後面側に当接し、第２延出部に支持された固定部材が収納扉に当接すると共に、第１支持体の先端部が前記後面壁に当接することにより、Ｌ字状ライン取手を備えた収納扉に固定される。【選択図】図２
2014068744.tif 000002
【特許請求の範囲】
【請求項１】
収納扉の扉本体の上方側に位置する下面壁と、下面壁の後端側から上方に延びる後面壁と、下面壁の前端側から上方に延びる持ち手部と、を有するレール状のライン取手を備えた収納扉に装着される収納扉用タオルハンガーであって、
前記ライン取手に固定される固定部と、固定部の前方側に延出されてタオルを掛止する掛止部と、を有し、
前記固定部は、前記持ち手部の上方に位置するベース部の下面側から、前記持ち手部の後面側に延びる第１延出部と、前記持ち手の前面側に延びる第２延出部と、前記ベース部又は前記第１延出部から前記後面壁側に延びる第１支持部と、を備え、
前記第１延出部が前記持ち手部の後面側に当接し、前記第２延出部に支持された固定部材が前記収納扉に当接すると共に、前記第１支持体の先端部が前記後面壁に当接することにより前記収納扉に固定される収納扉用タオルハンガー。
【請求項２】
前記固定部が、前記掛止部の少なくとも両端近傍に設けられている請求項１記載の収納扉用タオルハンガー。
【請求項３】
前記固定部の長手方向の長さが、掛止部の長手方向の長さと略同一である請求項１記載の収納扉用タオルハンガー。
【請求項４】
前記固定部材がネジ部材であって、前記第２延出部に形成されたネジ孔に挿入されたネジの先端が収納扉に当接することにより前記収納扉に固定される請求項１から請求項３のいずれかに記載の収納扉用タオルハンガー。
【請求項５】
前記第２延出部から後方に向けて設けられた第２支持体の先端部が収納扉に当接することにより前記収納扉に固定される請求項１から請求項４のいずれかに記載の収納扉用タオルハンガー。
【発明の詳細な説明】
【技術分野】
【０００１】
本発明は、収納扉に設けられたレール型のライン取手に装着される収納扉用タオルハンガーに関するものである。
【背景技術】
【０００２】
キッチンキャビネットや、洗面台等には、通常、引出や開き戸の収納スペースが設けられている。そして、その引出を出し入れしたり、開き戸を開閉するための取手が収納扉に設けられている。
【０００３】
この取手の形状や構造は様々なものが存在し、例えば、コの字状の金具を引出等の収納扉（前板）に取り付けた構造は古くから存在する。また、近年では、安全性等も考慮された斬新なデザインの取手として、収納扉の扉本体の上端部に、扉本体の幅と略同一の幅を有する構造のものが種々存在する。このような取手は、キッチン等の全体を観察した際に、横方向の複数の引出等に連続するライン状模様として観察されることからライン取手と呼ばれている。
【０００４】
ところで、キッチンや洗面台等では水を取り扱うため、タオルが頻繁に使用される。前述したコの字状の金具が収納扉に取り付けられている場合は、コの字状の金具にタオルを掛けることが可能であるが、ライン取手の場合、通常タオルを掛ける構造にはなっておらず、何らかのタオル掛けを取り付ける必要があった。
【０００５】
上記問題を解決するものとして、例えば、ライン取手に装着するタオル掛けが知られている。このタオル掛けは、ライン取手に着脱自在に取り付けられる左右一対のベース部材と、左右一対のベース部材に、先端側が回動可能に、基端部がそれぞれ支持された左右一対のアーム部材と、左右一対のアーム部材の先端部に支持された掛止バーと、掛止バーが前記ライン取手の上側に位置すると共に平面的に収納家具の前面から離反した状態で、アーム部材を位置決めする位置決め機構とを備えているものである（例えば、特許文献１）。
【０００６】
これにより、ライン取手に着脱自在に取り付けられる左右一対のベース部材に、掛止バーを支持しているアーム部材が回動可能に支持されているので、ライン取手に取り付けても取手として使用されにくく、破損のおそれが少なくなると共に、左右一対のアーム部材を、位置決め機構によって、掛止バーがライン取手の上側に位置する状態で位置決めすることができるようになっているので、タオルを掛ける際は、アーム部材を、掛止バーがライン取手の上側に位置する状態で位置決めすることによって、掛けたタオルが手元により近くなって、使い勝手がよいとされるものである。
【先行技術文献】
【特許文献】
【０００７】
【特許文献１】特開２０１１−２２９７４２号公報
【発明の概要】
【発明が解決しようとする課題】
【０００８】
しかしながら、上記構造のタオル掛けは、種々あるライン取手を備えた収納扉のなかでも、収納扉の扉本体の上方側に位置する下面壁と、下面壁の後端側から上方に延びる後面壁と、下面壁の前端側から上方に延びる持ち手部と、を有するレール状のライン取手（いわゆるＬ字状ライン取手）を備えた収納扉に装着することができないものであった。
【０００９】
そこで、本発明はこの問題点を解決すべく、いわゆるＬ字状ライン取手を備えた収納扉に簡便な作業で着脱可能に装着できるとともに、強固に固定可能な収納扉用タオルハンガーを提供することを課題とする。
【課題を解決するための手段】
【００１０】
本発明は上述した課題を解決するために下記の手段を講じている。
【００１１】
本発明の収納扉用タオルハンガーは、収納扉の扉本体の上方側に位置する下面壁と、下面壁の後端側から上方に延びる後面壁と、下面壁の前端側から上方に延びる持ち手部と、を有するレール状のライン取手を備えた収納扉に装着される収納扉用タオルハンガーであって、前記ライン取手に固定される固定部と、固定部の前方側に延出されてタオルを掛止する掛止部と、を有し、前記固定部は、前記持ち手部の上方に位置するベース部の下面側から、前記持ち手部の後面側に延びる第１延出部と、前記持ち手の前面側に延びる第２延出部と、前記ベース部又は前記第１延出部から前記後面壁側に延びる第１支持体と、を備え、前記第１延出部が前記持ち手部の後面側に当接し、前記第２延出部に支持された固定部材が前記収納扉に当接すると共に、前記第１支持体の先端部が前記後面壁に当接することにより前記収納扉に固定されるものである。
【００１２】
前記固定部は、前記掛止部の少なくとも両端近傍に設けることができる。
【００１３】
前記固定部の長手方向の長さは、掛止部の長手方向の長さと略同一とすることができる。
【００１４】
前記固定部材がネジ部材であって、前記第２延出部に形成されたネジ孔に挿入されたネジの先端が収納扉に当接することにより前記収納扉に固定できる。
【００１５】
前記第２延出部から後方に向けて設けられた第２支持体の先端部が収納扉に当接することにより前記収納扉に固定できる。
【発明の効果】
【００１６】
上述した本発明に係る収納扉用タオルハンガーによれば、いわゆるＬ字状のライン取手を備えた収納扉に簡便な作業で着脱可能に装着できるとともに、強固に固定可能となる。
【図面の簡単な説明】
【００１７】
【図１】本発明の第１実施形態に係る収納扉用タオルハンガーの斜視図である。
【図２】図１の収納扉用タオルハンガーを、固定部材を持ち手部に当接させて、収納扉に装着させた状態を示す断面図である。
【図３】図１の収納扉用タオルハンガーを、固定部材を扉本体に当接させて、収納扉に装着させた状態を示す断面図である。
【図４】掛止部の基部の幅と略同じ幅の固定部で構成した収納扉用ハンガーの斜視図である。
【図５】本発明の第２実施形態に係る収納扉用タオルハンガーの（ａ）正面図、（ｂ）背面図、（ｃ）右側面図、（ｄ）Ａ―Ａ線断面図、（ｅ）Ｂ−Ｂ線断面図である。
【図６】第２実施形態の収納扉用タオルハンガーを、収納扉に取り付けた状態を示す斜視図である。
【図７】本発明の第３実施形態に係る収納扉用タオルハンガーを、収納扉に取り付けた状態を示す一部拡大斜視図である。
【発明を実施するための形態】
【００１８】
以下、本発明に係る実施形態を図面に従って説明するが、本発明はこの実施形態に限定されるものではない。収納扉４が設けられたキッチンキャビネット等を設置した状態において、天井側を上方とし、床面側を下方とする。また、収納扉４に本発明の収納扉用タオルハンガーＨ（以下、タオルハンガーＨという。）を装着した状態において、タオル５が掛止される側を前方とし、収納スペース側を後方とする。
【００１９】
図１及び図２は、本発明の第１実施形態に係るタオルハンガーＨを示す斜視図である。このタオルハンガーＨは、収納扉４の扉本体４１の上方側に位置する下面壁４３と、下面壁４３の後端側から上方に延びる後面壁４４と、下面壁４３の前端側から上方に延びる持ち手部４５と、を有するレール状のライン取手４２（いわゆるＬ字状ライン取手４２）を備えた収納扉４に装着されるものである。
【００２０】
ライン取手を備えた収納扉とは、扉本体に、例えばアルミ等の金属部材から形成されたライン取手を取り付けたものや、木製等の収納扉の上方側を刳り抜いてライン取手を形成した、扉本体と一体のもの等を含む。また、下面壁が湾曲した略Ｊ字状のライン取手も当然に含むものである。
【００２１】
タオルハンガーＨは、Ｌ字状ライン取手４２を備えた収納扉４に固定される固定部１と、固定部１の前方に延出されてタオル５を掛止する掛止部２とから構成される。
【００２２】
固定部１は、タオルハンガーＨを収納扉４に装着させた状態において、持ち手部４５の上方に位置するベース部１１の下面側から、持ち手部４５の後面側４５ｂに延びる第１延出部１２と、持ち手部４５の前面側４５ａに延びる第２延出部１３と、ベース部１１又は第１延出部１２から後面壁４４側に延びる第１支持体１４とを備え、第１延出部１２が持ち手部４５の後面側４５ｂに当接し、第２延出部１３に支持された固定部材３が収納扉４に当接すると共に、第１支持体１４の先端部１４ａが後面壁４４に当接することにより収納扉４に固定される。
【００２３】
ベース部１１は、ライン取手４２の持ち手部４５の上方に位置し、第１延出部１２と第２延出部１３とを延出させる基部となるものである。また、図１及び図２に示すタオルハンガーＨにおいては、第１支持体１４と掛止部２とを延出させる基部となるものである。
【００２４】
ベース部１１は、長尺状に形成され、収納扉４に装着させた状態において持ち手部４５の上端側を覆う。ベース部１１の長手方向の長さは、後述する掛止部２の長手方向の長さと略同一である。
【００２５】
第１延出部１２は、タオルハンガーＨを収納扉４に装着させた状態において、持ち手部４５の後面側４５ｂと当接されるものである。第１延出部１２は、タオルハンガーＨが収納扉４に装着された状態において、ベース部１１の下面側からベース部１１の下面に対して略垂直に延出し、持ち手部４５の後面側４５ｂに位置する。当該第１延出部１２は、第１延出部１２の少なくとも一部が、持ち手部４５の後面側４５ｂの一部と当接可能であれば良い。
【００２６】
第１延出部１２の延出方向の長さは、持ち手部４５の後面側４５ｂの高さよりも短く、持ち手の部の裏面側に当接可能な適宜の長さであれば良い。図２に示すライン取手４２のように、下面壁４３の前端側近傍から湾曲部を設けた後、直線部を有しながら上方に延びる持ち手部４５の場合は、例えば、第１延出部１２の先端縁が湾曲部に当接しない長さとすれば、より強固に固定されると共に体裁よく固定でき好ましい。
【００２７】
第１延出部１２の横方向の長さは、図示の例ではベース部１１の長さと同じ長尺状に形成されているが、例えば、ベース部１１の長手方向に間隔を有して複数配設されるものであってもよい。
【００２８】
また、第１延出部１２の下端側には前方に向けて突出する突部１２ａを設けることができる。突部１２ａは、タオルハンガーＨが収納扉４に固定された状態において、持ち手部４５の後面側４５ｂと当接するものである。第１延出部１２が持ち手部４５の後面に対して略平行に設けられていない場合であっても、突部１２ａが当接することにより安定した固定状態とすることができる。また、突部１２ａは、長尺状であっても良いし、間隔を有して複数配設されるものであってもよい。
【００２９】
第２延出部１３は、持ち手部４５の前面側４５ａに当接される固定部材３を支持するものである。第２延出部１３は、タオルハンガーＨが収納扉４に装着された状態において、ベース部１１の下面側からベース部１１の下面に対して略垂直に延出され、持ち手部４５の前面側４５ａに位置する。つまり、第２延出部１３は、ベース部１１を介して、第１延出部１２と略平行に延出し、第１延出部１２に向き合う位置に設けられる。
【００３０】
また、第２延出部１３には、適宜の位置にネジ孔１５が形成されており、ネジ孔１５に挿入された固定部材３であるネジ部材３１の先端が収納扉４に当接する。ネジ孔１５の先端は、図２示すように、収納扉４に備えられたライン取手４２の持ち手部４５の前面側４５ａに当接させることもできるし、図３に示すように、収納扉４の扉本体４１の前面側に当接させることもできる。なお、扉本体４１の前面側に当接する場合、扉本体４１の上端近傍に当接することとすれば、固定状態がより安定する。また、ネジ部材３１をノブ付きネジとすれば、タオルハンガーＨを収納扉４に、より簡便な作業で着脱可能に装着できる。
【００３１】
そして、持ち手部４５が、第２延出部１３に支持された固定部材３であるネジ部材３１と、第１延出部１２とに挟持されることによりタオルハンガーＨが収納扉４に固定される。
【００３２】
なお、弾性部材等を介して、ネジ部材３１の先端と収納扉４とを当接させてもよい。
【００３３】
第１支持体１４は、先端部１４ａがライン取手４２の後面壁４４に当接することで、主として、収納扉４に装着されたタオルハンガーＨの上方への回動を阻止するものである。本実施形態の第１支持体１４は、収納扉４にタオルハンガーＨを装着させた状態において、ベース部１１の後端縁からライン取手４２の後面壁４４側に向けて斜め上方に延びるように形成されている。これにより、第１支持体１４の先端部１４ａが後面壁４４に当接されると共に、第１支持体１４によって、後面壁４４と下面壁４３と持ち手部４５とから形成されるライン取手４２の溝部分が覆われ、溝に埃、ごみ等が侵入することを防止できると共に掃除も簡便に行うことができる。
【００３４】
先端部１４ａは、後面壁４４に当接できればどのような形状でもよいが、例えば、図１及び図２に示すように、半球状とすることもできるし、後面壁４４の傾斜に沿うような形状としてもよい。
【００３５】
なお、弾性部材等を介して、第１支持体１４と後面壁４４とを当接させてもよい。
【００３６】
第１支持体１４は、後面壁４４側に向けて垂直方向又は斜め下方に延びるように形成することもできる。また、ベース部１１の後端縁から間隔を有して複数の第１支持体１４を設けることとしてもよい。
【００３７】
また、第１支持体１４は第１延出部１２から、後面壁４４に向けて延出させても良い。
【００３８】
掛止部２は、タオル５を掛止するもので固定部１の前方側に延出するように設けられており、基部２１と掛止バー２２とから構成される。掛止部２は、タオル５を収納扉４と離間した状態で掛止できれば、どのような構成のものでもよく、適宜のデザインにすることができる。例えば、図１に示すように、ベース部１１の前端縁の両端近傍から、それぞれ前方に延びる基部２１と、その基部２１の先端同志を繋ぐ掛止バー２２とから形成される。基部２１は、ベース部１１に対して水平に延びた後、下方に湾曲するように形成すれば、第２延出部１３に支持されたネジ部材３１の頭部又ノブ付きネジのノブが覆われ体裁がよい。
【００３９】
掛止部２の基部２１は、図４に示すように、ベース部１１に対して水平に延びるだけの構成とすることもできるし、ベース部１１に対して水平方向よりも上方斜めに延びる構成（図示しない。）、可動可能な構成等、種々の構造とすることができる。
【００４０】
また、掛止部２は、第２延出部１３から前方側に延出する構成とすることもできる。
【００４１】
また、固定部１を掛止部２の少なくとも両端近傍に設ける構成とすることもできる。例えば、図４に示すように、掛止部２の基部２１の幅と略同じ幅の固定部１とすることもできる。
【００４２】
このようにして構成されるタオルハンガーＨは図２及び図３に示すように、次のようにして装着される。まず、持ち手部４５の上方にベース部１１を配置し、持ち手部４５の後面側４５ｂに第１延出部１２、持ち手部４５の前面側４５ａに第２延出部１３をそれぞれ位置させる。そして、第２延出部１３に支持された固定部材３であるネジを締め、ネジの先端を収納扉４の前面側に当接させ、第１延出部１２を持ち手部４５の後面側４５ｂに当接させると共に、第１支持体１４の先端部１４ａをライン取手４２の後面壁４４に当接させる。
【００４３】
以上、説明した本発明の実施形態に係るタオルハンガーＨによれば、ネジ締めだけの簡便な作業により、Ｌ字状のライン取手４２を備える収納扉４に着脱可能に装着できる。また、第１延出部１２が持ち手部４５の裏面側に当接し、第２延出部１３に支持された固定部材３が収納扉４に当接することで、収納扉４が、第１延出部１２と固定部材３とに挟持され、収納扉４に装着されたタオルハンガーＨの、主として、横方向への移動、下方への回動を阻止できると共に、第１支持体１４の先端部１４ａが後面壁４４に当接することにより、主として、タオルハンガーＨの上方への回動を阻止できる。つまり、いわゆるＬ字状のライン取手４２を備える収納扉４に簡便な作業で着脱可能に装着できると共に、揺動することなく強固に固定可能となる。
【００４４】
図５は、本発明の第２実施形態に係るタオルハンガーＨの正面図、背面図、右側面図、正面図のＡ−Ａ線断面図、背面図のＢ−Ｂ線断面図である。本実施形態のタオルハンガーＨの基本的な構成は、第１実施形態と同様であるが、以下の点で異なる。
【００４５】
図６に示すように、第２延出部１３から後方に向けて第２支持体１６を設けている。第２支持体１６は、タオルハンガーＨが収納扉４に装着された状態において、収納扉４にその先端部１６ａが当接するものである。
【００４６】
第２支持体１６は、図５及び図６に示すように、第２延出部１３の下端を後方に向けてＬ字状に湾曲させたものとすれば、安全で体裁のよいものとなるが、収納扉４に当接可能であれば、どのような形状でも構わない。
【００４７】
また、固定部材３を収納扉４の持ち手部４５の前面側４５ａに当接させ、第２支持体１６を収納扉４の扉本体４１の前面側に当接させる構成とすれば、さらに安定かつ強固に固定可能となるので好ましい。
【００４８】
また、図６に示すように、扉本体４１を保護するために、弾性部材６を介して第２支持体１６と扉本体４１とを当接させることもできる。
【００４９】
以上説明した本発明の実施形態に係るタオルハンガーＨによれば、第２支持体１６が収納扉に当接して固定されるため、タオルハンガーの下方への回動をさらに阻止することができ、より安定かつ強固に固定可能となる。
【００５０】
図７（ａ）（ｂ）は、本発明の第３実施形態に係るタオルハンガーＨを、収納扉４に取り付けた状態を示す一部拡大斜視図である。本実施形態のタオルハンガーＨの基本的な構成は、第１実施形態及び第２実施形態と同様であるが、以下の点で異なる。
【００５１】
第３実施形態のタオルハンガーＨは、第２延出部１３に支持され、収納扉４の前面側に当接される固定部材３が異なる。第２延出部１３と収納扉４との間に設けられた間隙に、固定部材３である嵌合体３２を嵌合させることにより、嵌合体３２は第２延出部１３に支持され、収納扉４の前面側に当接される。
【００５２】
つまり、収納扉４が、第２延出部１３に支持された固定部材３である嵌合体３２と、第１延出部１２とに挟持されることによりタオルハンガーＨが収納扉４に固定される。
【００５３】
嵌合体３２は、第２延出部１３と収納扉４との間に設けられた間隙に嵌合し得る短形板体に形成される。例えば、図７（ａ）に示すような楔形状とすることができる。
【００５４】
以上説明した本発明の実施形態に係るタオルハンガーＨによれば、固定部材３である嵌合体３２を嵌合させることで、いわゆるＬ字状のライン取手４２を備える収納扉４に揺動することなく、より強固に固定可能となる。
【００５５】
当該発明は、上述の実施形態の構成に限定されるものではなく、固定部１の形状、掛止部２の形状、固定部材３の形状、寸法、材質等を適宜変更して実施することが可能である。また、一部構成を省略した構成とすることができるのは勿論である。
【符号の説明】
【００５６】
Ｈ      収納扉用タオルハンガー
１      固定部
１１    ベース部
１２    第１延出部
１２ａ  突部
１３    第２延出部
１４    第１支持体
１４ａ  先端部
１５    ネジ孔
１６    第２支持体
１６ａ  先端部
２      掛止部
２１    基部
２２    掛止バー
３      固定部材
３１    ネジ部材
３２    嵌合体
４      収納扉
４１    扉本体
４２    ライン取手
４３    下面壁
４４    後面壁
４５    持ち手部
４５ａ  前面側
４５ｂ  後面側
５      タオル
６      弾性部材
【図１】
2014068744.tif 000003
【図２】
2014068744.tif 000004
【図３】
2014068744.tif 000005
【図４】
2014068744.tif 000006
【図５】
2014068744.tif 000007
【図６】
2014068744.tif 000008
【図７】
2014068744.tif 000009